(57)【要約】【課題】本発明は、剥離抑制が必要な場合には流れの状態にあわせた最適な縦渦を発生させ、また剥離抑制が不要な場合には縦渦を発生させないという能動的な制御を、従来技術２のように壁面に複数の微小孔を設けることなく、かつ、個々の微小孔から噴き出される流体の速度分布が直角三角形状の剪断層を形成するように制御するという複雑な手段によることなく、シンプルな構成で可能にすることを目的とする。              【解決手段】本発明の縦渦発生装置は、物体壁面に噴流用の噴出し孔を設け、噴流と物体近傍の主流との干渉により縦渦を発生させる装置において、噴流が、主流方向ｘと垂直方向ｙの速度成分ｖから成る主流方向ｘと直角方向ｚの剪断層及び主流方向ｙと直角方向ｚの速度成分ｗから成る主流方向と垂直方向の剪断層を持ち、これらの各剪断層が、同一方向の回転を生成する速度勾配を形成するように、主流方向ｘに対して僅かに傾けられた速度分布を有し、かつ、主流方向ｙに分布されるようにしたことを特徴とするものである。【選択図】    図５
2005325921.tif 000002
【特許請求の範囲】
【請求項１】
物体壁面に噴流用の噴出し孔を設け、噴流と物体近傍の主流との干渉により縦渦を発生させる装置において、噴流が、主流方向ｘと垂直方向ｙの速度成分ｖから成る主流方向ｘと直角方向ｚの剪断層及び主流方向ｘと直角方向ｚの速度成分ｗから成る主流方向と垂直方向の剪断層を持ち、これらの各剪断層が、同一方向の回転を生成する速度勾配を形成するように、主流方向ｘに対して垂直方向ｙ及び直角方向ｚに速度成分を持つ速度分布を有し、かつ、主流方向ｘに分布されるようにしたことを特徴とする縦渦発生装置。  
【請求項２】
噴出し孔の途中に多数の小孔を有する偏向部材を傾斜して設けたことを特徴とする請求項１記載の縦渦発生装置。  
【請求項３】
物体壁面に噴流用の噴出し孔を設け、噴流と物体近傍の主流との干渉により縦渦を発生させる装置において、噴流が、主流方向ｘと垂直方向ｙの速度成分ｖから成る主流方向ｘと直角方向ｚの剪断層及び主流方向ｙと直角方向ｚの速度成分ｗから成る主流方向と垂直方向の剪断層を持ち、これらの各剪断層が、同一方向の回転を生成する速度勾配を形成するように、主流方向ｘに対して僅かに傾けられた速度分布を有し、かつ、主流方向ｙに分布されるようにしたことを特徴とする縦渦発生装置。
【請求項４】
入口及び出口の開口を異なる矩形状の形状とし、これら入口及び出口の矩形状の開口を連続して結ぶように穿孔して噴出し孔を形成するとともに、前記２つの矩形状の開口は主流方向ｘに対して僅かな角度βだけ傾けられたｘ′方向が長辺であり、入口の矩形状の開口は、出口の矩形状の開口に比較してｘ′方向の長辺が小で、かつ、短辺が大であるような寸法関係に形成されたことを特徴とする請求項３記載の縦渦発生装置。
【発明の詳細な説明】
【技術分野】
【０００１】
本発明は、航空機、ガスタービン、自動車等の分野に関し、詳述すると航空機の主翼及びガスタービンのタービン翼などの揚力の増加が必要とされる分野、あるいはガスタービン燃焼器の燃料噴射ノズルの分野に関するものである。
【背景技術】
【０００２】
翼は高迎角になると剥離により失速するが、低ノズル数領域になると低迎角でも剥離が現れ、複雑な流れ場が生じる。  
従来、航空機の翼には流れの剥離を抑制する方法として、翼面の前縁付近でかつスパン方向に突起物を並べ、その突起物の後流に形成される縦渦により主流と境界層間の運動量の交換を促している（以下「従来技術１」いう。例えば、特許文献１参照。）。
また、従来技術１の改良発明として、剥離抑制が必要な場合に流れの状態にあわせた縦渦を発生させ、剥離抑制が不要な場合には縦渦を発生させないという能動的な制御を可能にする発明が、本件発明の発明者による発明として特許出願されている（以下「従来技術２」いう。例えば、特許文献２参照。）。
【特許文献１】特開平１０−３３８１９９号公報
【特許文献２】特開２００２−２５７１０４号公報
【発明の開示】
【発明が解決しようとする課題】
【０００３】
しかしながら、従来技術１では、
（１）流れの剥離抑制を必要としない場合でも突起物が存在するため、常に突起物が抵抗体として作用する。
（２）突起物により形成される縦渦の渦度と大きさは主流速度のみによるため受動的であり、剥離抑制に最適な能動的制御が出来ない、
といった問題があった。
また、従来技術２では、従来技術１の問題は解決できるものの、壁面に複数の微小孔を設け、個々の微小孔から噴き出される流体の速度分布が直角三角形状の剪断層を形成するように制御する必要があったため、製作及び制御が複雑になるといった問題があった。
【０００４】
本発明は、上記した従来技術１及び従来技術２の有する問題を解決するために提案されたものであり、剥離抑制が必要な場合には流れの状態にあわせた最適な縦渦を発生させ、また剥離抑制が不要な場合には縦渦を発生させないという能動的な制御を、従来技術２のように壁面に複数の微小孔を設けることなく、かつ、個々の微小孔から噴き出される流体の速度分布が直角三角形状の剪断層を形成するように制御するという複雑な手段によることなく、シンプルな構成で可能にすることを目的とする。  
【課題を解決するための手段】
【０００５】
物体表面に噴流用の孔を設け、噴流と物体周りの流れと干渉により発生する渦を利用する場合、通常の噴流の噴出し方法では噴流の左右に反対向きに回転する渦が形成され、渦間には上昇流が発生するため、これら２つの渦は直ちに物体近傍より垂直方向に離脱してしまう。渦を作る目的は物体近傍の流れを攪拌するためであるので、渦には出来るだけ物体近傍に沿って流れることが要求される。これを実現させるためには形成される渦を１つにする必要がある。
上記の目的を達成するため、請求項１記載の縦渦発生装置は、物体壁面に噴流用の噴出し孔を設け、噴流と物体近傍の主流との干渉により縦渦を発生させる装置において、噴流が、主流方向ｘと垂直方向ｙの速度成分ｖから成る主流方向ｘと直角方向ｚの剪断層及び主流方向ｘと直角方向ｚの速度成分ｗから成る主流方向と垂直方向の剪断層を持ち、これらの各剪断層が、同一方向の回転を生成する速度勾配を形成するように、主流方向ｘに対して垂直方向ｙ及び直角方向ｚに速度成分を持つ速度分布を有し、かつ、主流方向ｘに分布されるようにしたことを特徴とするものである。
また、上記の目的を達成するため、請求項２記載の縦渦発生装置は、請求項１記載の縦渦発生装置において、噴出し孔の途中に多数の小孔を有する偏向部材を傾斜して設けたことを特徴とするものである。
【０００６】
また、上記の目的を達成するため、請求項３記載の縦渦発生装置は、物体壁面に噴流用の噴出し孔を設け、噴流と物体近傍の主流との干渉により縦渦を発生させる装置において、噴流が、主流方向ｘと垂直方向ｙの速度成分ｖから成る主流方向ｘと直角方向ｚの剪断層及び主流方向ｙと直角方向ｚの速度成分ｗから成る主流方向と垂直方向の剪断層を持ち、これらの各剪断層が、同一方向の回転を生成する速度勾配を形成するように、主流方向ｘに対して僅かに傾けられた速度分布を有し、かつ、主流方向ｙに分布されるようにしたことを特徴とするものである。
また、上記の目的を達成するため、請求項４記載の縦渦発生装置は、請求項３記載の縦渦発生装置において、入口及び出口の開口を異なる矩形状の形状とし、これら入口及び出口の矩形状の開口を連続して結ぶように穿孔して噴出し孔を形成するとともに、前記２つの矩形状の開口は主流方向ｘに対して僅かな角度βだけ傾けられたｘ′方向が長辺であり、入口の矩形状の開口は、出口の矩形状の開口に比較してｘ′方向の長辺が小で、かつ、短辺が大であるような寸法関係に形成されたことを特徴とするものである。
【発明の効果】
【０００７】
本発明は、以下のような優れた効果を奏する。
（１）剥離抑制が必要な場合には流れの状態にあわせた最適な縦渦を発生させ、また剥離抑制が不要な場合には縦渦を発生させないという能動的な制御を、従来技術のように壁面に複数の微小孔を設けることなく、かつ、個々の微小孔から噴き出される流体の速度分布が直角三角形状の剪断層を形成するように制御するという複雑な手段によることなく、シンプルな構成で可能にできる。
（２）翼の実験結果から、層流剥離及び乱流剥離に対する抑制手段として非常に有効であり、その投入エネルギーに対する揚力増加の利得が大きい。
したがって、特に、低速での剥離が問題となる旋回を避ける安全装置として有効であり、また、気象観測、災害時の偵察用として注目されている小型飛行機への利用に適している。
【発明を実施するための最良の形態】
【０００８】
本発明に係る縦渦発生装置を実施するための最良の形態を実施例に基づいて図面を参照して以下に説明する。  
【実施例１】
【０００９】
図１は、縦渦の生成原理を説明するための図である。
今、主流方向をｘ、主流と垂直方向をｙ、主流と直角方向をｚとする。縦渦の生成には物体表面から噴出される噴流と主流Ｕとの干渉が必要であるが、このときの噴流は、主流方向ｘと垂直方向ｙの速度成分ｖから成る主流方向ｘと直角方向ｚに剪断層１を持ち、さらに、主流方向ｘと直角方向ｚの速度成分ｗから成る主流方向ｘと垂直方向ｙに剪断層２を持ち、これらの各剪断層１、２が同一方向の回転を生み出す速度勾配でなければならない。この同一方向の回転を生み出す速度勾配は、例えば、図１に示すように、ｙ方向の噴流速度ｖのｘ・ｚ面の分布を右肩上がりの三角形にし、ｚ方向の噴流速度ｗのｘ・ｙ面の分布を逆三角形にし、これらを合成することで得られる。
さらに上記の剪断層１、２は主流Ｕの流れ方向に分布する必要がある。
図１に示すように、主流Ｕに対して各剪断層１、２が同一方向の回転を生み出す速度勾配である噴流を合成することにより、縦渦３を形成することができる。
【００１０】
図２は、図１に示した縦渦の生成原理を実現する第一の手段を示したものである。
この第一の手段は、主流Ｕの流れ方向ｘに対して垂直方向ｙと直角方向ｚに速度成分を持つ噴流４を作るものである。この手段の場合、剪断層がａ−ｂ側とａ−ｃ側に存在しているが、噴流速度成分ｖとｗの剪断層による回転方向が一致するのはａ−ｂ側となる。このため、ａ−ｂ側にのみ縦渦３が形成される。
【００１１】
図３は、図２に示すような主流方向ｘに剪断層ａ−ｂを維持した噴流４を作るための、オリフィス状の噴出し孔の具体例を示したものである。
図３において、（ａ）は縦断面図、（ｂ）は平面図を表しており、噴出し孔５は、空気を貯蔵するタンク６等に接続されており、噴出し孔５において流れが縮流されるようになっている。噴出し孔５の途中には、メッシュ布、多孔板等からなる多数の小孔を有する偏向部材７が傾斜して設けられる。流体ｆは、噴出し孔５途中の偏向部材７を通過する際に、偏向部材７に対して直交する方向、すなわち、最大通過面積を確保する方向（図３の矢印で示す方向）に偏向される。このため、噴出し孔５の上方には、図２に示すような主流方向ｘに剪断層ａ−ｂを維持した噴流４が形成されることになる。
【００１２】
図４は、図３の噴出し孔に対して横軸にｚ方向をとった場合の、ｙ方向の距離が、ｙ＝３ｍｍ（□印）、ｙ＝１０ｍｍ（×印）、ｙ＝２０ｍｍ（△印）、ｙ＝４０ｍｍ（○印）においてＩ型熱線プローブで計測した場合の速度分布を縦軸に示したものである。
この図から、ｙが大きくなるほど、すなわち、噴出し孔５から離れるほど速度分布が図の左側に移動しているのが分かる。これは、図２のａ−ｂ側においてのみ縦渦が形成されることを示している。
【００１３】
図５は、図１に示した縦渦の生成原理を実現する第二の手段を示したものである。
この第二の手段は、主流Ｕの流れ方向ｘに対して僅かな角度βだけ傾けられたｘ′方向に、ｘ′と直向するｚ′方向においてａ−ｂ−ｃの三角形で示すような速度成分を持つ噴流８を作るものである。
この手段の場合、噴流８の下流方向の軸ｘ′が主流方向ｘと角度βだけ傾いているため、主流Ｕの速度成分であるＵｓｉｎαが剪断層ａ−ｂ側に、図１のｗと同じ作用をし、縦渦３が形成される。
【００１４】
図６は、図５に示すような主流方向ｘに対して僅かな角度βだけ傾けられたｘ′方向に剪断層ａ−ｂを維持した噴流８を作るための、オリフィス状の噴出し孔の具体例を示したものである。
図６において、（ａ）は平面図、（ｂ）はＡ−Ａ断面図、（ｃ）はＢ−Ｂ断面図であり、（ａ）において噴出し孔９の中心線１０は、主流方向ｘと僅かな角度βだけ傾いたｘ′方向を向いている。
噴出し孔９は、物体の壁面１１に形成されるものであり、噴流ｆの入口ｆｉ及び出口ｆｄにそれぞれ異なる矩形状の開口１２及び開口１３を形成し、これらの開口を連続して結ぶように穿孔することにより形成される。前記２つの矩形状の開口１２及び１３はｘ′方向が長辺であり、入口ｆｉの矩形状の開口１２は、出口ｆｄの矩形状の開口１３に比較して長辺１４が小で、かつ、短辺１５が大であるような寸法関係に形成されている。
【００１５】
図７は、図６に示した噴出し孔９を主流方向ｘに対して１５度傾けたときのｙ＝５ｍｍにおける噴流の速度分布を示したものである。ｙ＝５ｍｍにおいても、ｘ′方向に縦長の速度分布が形成されているのが分かる。このときの噴流の最大速度（噴出し孔９の中心部における速度）は２０ｍ／ｓｅｃであった。この噴流の最大速度は、主流Ｕの大きさにより適宜設定されるものであるが、通常、主流Ｕの約２〜５倍程度に設定される。
【００１６】
図８は、平板１８表面に沿って主流を形成させた境界層平板に設置された縦渦発生装置と座標系を示したものである。なお、図５及び図６に示した第二の縦渦発生装置では、ｘ方向に対してα傾けて噴出し孔９が配置される。縦渦発生装置を速度５ｍ／ｓｅｃの風洞測定部に置き、噴流を最大速度は２０ｍ／ｓｅｃで噴いた場合、噴流の下流５０ｍｍにおいてＩ型熱線プローブで計測すると図９に示すような速度成分が得られた。図９から、境界層の盛り上がりが認められ、高速部分が右側に比べて左側では壁面に近づいており、境界層平板上に反時計回りの縦渦が生成されていることが確認出来る。
【００１７】
図１０は、翼型１６に設けられる縦渦発生装置の一例を示したものである。
この例では、縦渦発生装置が翼型１６の前縁１７と前縁１７からＬ／３後縁寄りの負圧面の２箇所に設けられている。縦渦発生装置、主流Ｕの大きさ及び翼型の形状等に応じて剥離の発生する箇所が相違するため、剥離の発生する箇所に適宜設けられる。
噴出し孔９は、主流Ｕの方向ｘに対してβ＝１５゜傾けられ、横方向に６個づつ並んで設けられており、その向きを交互に異ならせている。
【００１８】
図１１は、縦渦発生装置（ＶＧ）付き翼型の迎え角αに対する揚力係数ＣＬの変化を示したものである。縦渦発生装置（ＶＧ）を装着しない場合に比べて揚力係数が増大していることが認められる。  
【産業上の利用可能性】
【００１９】
以上のように、本発明に係る縦渦発生装置は、航空機の主翼及びガスタービンのタービン翼などの揚力の増加が必要とされる装置に適している。
【図面の簡単な説明】
【００２０】
【図１】縦渦の生成原理を説明するための図である。
【図２】縦渦の生成原理を実現する第一の手段を説明した図である。
【図３】図２に示す縦渦の生成原理を実現する第一の手段の具体例を説明した図である。
【図４】横軸にｚ方向をとった場合の、ｙ方向の距離が、ｙ＝３ｍｍ（□印）、ｙ＝１０ｍｍ（×印）、ｙ＝２０ｍｍ（△印）、ｙ＝４０ｍｍ（○印）のそれぞれにおける速度分布を縦軸に示したものである。
【図５】縦渦の生成原理を実現する第二の手段を説明した図である。
【図６】図５に示す縦渦の生成原理を実現する第二の手段の具体例を説明した図である。
【図７】図６に示した噴出し孔を主流方向ｘに対して１５度傾けたときのｙ＝５ｍｍにおける噴流の速度分布を示した図である。
【図８】境界層平板に設置された縦渦発生装置と座標系を示した図である。
【図９】噴流の下流５０ｍｍにおける速度成分を示した図である。
【図１０】翼型に設けられる縦渦発生装置の一例を示した平面図である。
【図１１】縦渦発生装置（ＶＧ）付き翼型の迎え角αに対する揚力係数ＣＬの変化を示した図である。
【符号の説明】
【００２１】
１    剪断層
２    剪断層
３    縦渦
４    噴流
５    噴出し孔
６    タンク
７    偏向部材
８    噴流
９    噴出し孔
１０  中心線
１１  壁面
１２  開口
１３  開口
１４  長辺
１５  短辺
１６  翼型
１７  前縁
１８  平板
【図１】
2005325921.tif 000003
【図２】
2005325921.tif 000004
【図３】
2005325921.tif 000005
【図４】
2005325921.tif 000006
【図５】
2005325921.tif 000007
【図６】
2005325921.tif 000008
【図７】
2005325921.tif 000009
【図８】
2005325921.tif 000010
【図９】
2005325921.tif 000011
【図１０】
2005325921.tif 000012
【図１１】
2005325921.tif 000013